(57)【要約】【課題】再生されるコンテンツの再生状況が良くない場合でも、正常に投影可能なコンテンツに変換し直し、再生状況を改善する。【解決手段】情報処理装置は、再生可能なコンテンツのフォーマット情報を予め保持し、コンテンツを再生する手段を有する。予め保持するフォーマット情報で変換されたコンテンツが再生されたときの画像品質の良否を判断し、否であると、予め保持するフォーマット情報を有するコンテンツ変換装置をネットワークを介して検索する。検索されると、コンテンツ変換装置に対して、再生されたコンテンツを送信する。コンテンツ変換装置は、情報処理装置から再生されたコンテンツを受信し、予め保持するフォーマット情報に対応し、再生されたときとは異なるデータ構造に変換し、情報処理装置に対して送信する。情報処理装置は、コンテンツ変換装置から、変換されたコンテンツを受信し、再生する。【選択図】図２
2014165796.tif 000002
【特許請求の範囲】
【請求項１】
情報処理装置と、コンテンツを前記コンテンツのフォーマット情報に対応するデータ構造に変換するコンテンツ変換装置とがネットワークを介して接続された情報処理システムであって、
前記情報処理装置は、
再生可能なコンテンツのフォーマット情報を予め保持する手段と、
コンテンツを再生する手段と、
前記予め保持するフォーマット情報で変換されたコンテンツが再生されたときの画像品質の良否を判断する手段と、
前記画像品質が否であると判断されると、前記予め保持するフォーマット情報を有するコンテンツ変換装置を、前記ネットワークを介して検索する手段と、
前記予め保持するフォーマット情報を有するコンテンツ変換装置が検索されると、前記コンテンツ変換装置に対して、前記再生されたコンテンツを送信する手段と、
を含み、
前記コンテンツ変換装置は、
前記情報処理装置から、前記再生されたコンテンツを受信する手段と、
前記再生されたコンテンツを、前記予め保持するフォーマット情報に対応し、前記再生されたときとは異なるデータ構造に変換する手段と、
前記変換されたコンテンツを前記情報処理装置に対して送信する手段と、
を含み、
前記情報処理装置は、
前記コンテンツ変換装置から、前記変換されたコンテンツを受信する手段と、
前記受信されたコンテンツを再生する手段と、
を含むことを特徴とする情報処理システム。
【請求項２】
前記再生されたコンテンツの映像信号が投影されるときの再生時刻情報と、前記再生されたコンテンツの音声信号が出力されるときの再生時刻情報との差分が、予め定められた閾値を超えている場合、前記画像品質が否であると判断することを特徴とする請求項１に記載の情報処理システム。
【請求項３】
前記再生されたコンテンツの映像信号と音声信号とが分離されるときの、前記映像信号の再生時刻情報と、前記音声信号の再生時刻情報との差分が、予め定められた閾値を超えている場合、前記画像品質が否であると判断することを特徴とする請求項１に記載の情報処理システム。
【請求項４】
前記再生されたコンテンツの所定時間内に占める映像信号の割合と音声信号の割合との均衡が崩れている場合、前記画像品質が否であると判断することを特徴とする請求項１に記載の情報処理システム。
【請求項５】
コンテンツを前記コンテンツのフォーマット情報に対応するデータ構造に変換するコンテンツ変換装置とネットワークを介して接続された情報処理装置であって、
再生可能なコンテンツのフォーマット情報を予め保持する手段と、
コンテンツを再生する手段と、
前記予め保持するフォーマット情報で変換されるコンテンツが再生されたときの画像品質の良否を判断する手段と、
前記画像品質が否であると判断されると、前記予め保持するフォーマット情報を有するコンテンツ変換装置を、前記ネットワークを介して検索する手段と、
前記予め保持するフォーマット情報を有するコンテンツ変換装置が検索されると、前記コンテンツ変換装置に対して、前記再生されたコンテンツを送信する手段と、
前記コンテンツ変換装置から、前記再生されたコンテンツが、前記予め保持するフォーマット情報に対応し、前記再生されたときとは異なるデータ構造に変換されたコンテンツを受信する手段と、
前記受信されたコンテンツを再生する手段と、
を含むことを特徴とする情報処理装置。
【請求項６】
前記再生されたコンテンツの映像信号が投影されるときの再生時刻情報と、前記再生されたコンテンツの音声信号が出力されるときの再生時刻情報との差分が、予め定められた閾値を超えている場合、前記画像品質が否であると判断することを特徴とする請求項５に記載の情報処理装置。
【請求項７】
前記再生されたコンテンツの映像信号と音声信号とが分離されるときの、前記映像信号の再生時刻情報と、前記音声信号の再生時刻情報との差分が、予め定められた閾値を超えている場合、前記画像品質が否であると判断することを特徴とする請求項５に記載の情報処理装置。
【請求項８】
前記再生されたコンテンツの所定時間内に占める映像信号の割合と音声信号の割合との均衡が崩れている場合、前記画像品質が否であると判断することを特徴とする請求項５に記載の情報処理装置。
【発明の詳細な説明】
【技術分野】
【０００１】
本発明は、情報処理システム、及び情報処理装置に関する。
【背景技術】
【０００２】
情報処理装置（以下、「ＰＣ」ともいう。）と投影機器とをケーブルで接続することなく、静止画や動画を投影する機能が各種投影機器に搭載されている。投影機器に対してネットワークを通じてコンテンツを送信する技術や、投影機器に対してＵＳＢ（Universal Serial Bus）メモリを挿すことにより、ＵＳＢメモリに蓄積された静止画や動画を投影する技術も存在する。そして、ＵＳＢメモリに格納された静止画や動画を投影する技術を搭載した投影機器も既に開発されている。
【０００３】
ところで、投影機器で再生される動画のフォーマットには非常に多くの種類が存在する。したがって、１台の投影機器が全ての動画フォーマットに対応するのは非常に困難であるという問題があった。この問題を解決するため、投影機器が、再生対象となる動画のフォーマットに対応していない場合、対応できるフォーマットに変換して当該動画を再生する技術が既に知られている。
【０００４】
特許文献１は、投影機器間でコンテンツをやり取りするための使い勝手を向上することを目的としている。すなわち、投影対象となるコンテンツのフォーマットがサポートされているか否かを判別する。そして、サポートされていないと判別された場合、コンテンツのフォーマット変換が可能な他の投影機器を検出し、当該他の投影機器においてフォーマットの変換を行う技術が開示されている。
【発明の概要】
【発明が解決しようとする課題】
【０００５】
しかしながら、上記従来のプロジェクタ等の投影機器は、ＰＣと比較してＣＰＵ（Central Processing Unit）やメモリの資源が限られていた。そのため、投影対象たる動画のフォーマットが、当該投影機器にとって対応しているフォーマットであっても、動画のデータ構成によっては、正常に投影することができない場合があるという問題があった。具体的には、音声と映像とがずれる、音声が途切れる、映像が乱れる等という現象が発生していた。
【０００６】
特許文献１に開示された技術は、コンテンツのフォーマット変換を行っている。しかしながら、投影対象たる動画のフォーマットが、当該投影機器にとって対応しているフォーマットであっても、動画のデータ構成によっては、正常に投影することができない場合があるという問題は依然として解消されていない。具体的には、音声と映像とがずれる、音声が途切れる、映像が乱れる等という現象は依然として発生している。
【０００７】
そこで、本発明は、上記従来技術の問題点に鑑みてなされたものであって、記憶手段に蓄積されている動画等のコンテンツを投影機器を用いて再生する際、当該投影機器によって再生されるコンテンツの再生状況が良くない場合であっても、正常に再生可能なコンテンツに変換し直すことにより、再生状況を改善することを目的とする。
【課題を解決するための手段】
【０００８】
上記課題を解決するため、請求項１に記載の本発明における情報処理システムは、情報処理装置と、コンテンツを前記コンテンツのフォーマット情報に対応するデータ構造に変換するコンテンツ変換装置とがネットワークを介して接続された情報処理システムであって、前記情報処理装置は、再生可能なコンテンツのフォーマット情報を予め保持する手段と、コンテンツを再生する手段と、前記予め保持するフォーマット情報で変換されたコンテンツが再生されたときの画像品質の良否を判断する手段と、前記画像品質が否であると判断されると、前記予め保持するフォーマット情報を有するコンテンツ変換装置を、前記ネットワークを介して検索する手段と、前記予め保持するフォーマット情報を有するコンテンツ変換装置が検索されると、前記コンテンツ変換装置に対して、前記再生されたコンテンツを送信する手段と、を含み、前記コンテンツ変換装置は、前記情報処理装置から、前記再生されたコンテンツを受信する手段と、前記再生されたコンテンツを、前記予め保持するフォーマット情報に対応し、前記再生されたときとは異なるデータ構造に変換する手段と、前記変換されたコンテンツを前記情報処理装置に対して送信する手段と、を含み、前記情報処理装置は、前記コンテンツ変換装置から、前記変換されたコンテンツを受信する手段と、前記受信されたコンテンツを再生する手段と、を含むことを特徴とする。
【発明の効果】
【０００９】
本発明によれば、投影機器によって再生されるコンテンツの再生状況が良くない場合であっても、再生状況を改善することが可能な情報処理システムを得ることができる。
【図面の簡単な説明】
【００１０】
【図１】本発明の実施形態に係る情報処理システムの構成を示す概略ブロック図である。
【図２】本発明の実施形態に係る情報処理システムの動作について説明するフローチャート図である。
【図３】本発明の実施形態に係る情報処理システムを構成する動画再生装置の処理の流れについて説明する状態遷移図である。
【図４】本発明の実施形態に係る情報処理システムにおける映像信号と音声信号との間の再生時刻情報について説明する図である。
【図５】本発明の実施形態に係る情報処理システムにおける映像信号と音声信号との間のデータの配置が大きく偏っている場合について説明する図である。
【発明を実施するための形態】
【００１１】
次に、本発明を実施するための形態について図面を参照して詳細に説明する。なお、各図中、同一又は相当する部分には同一の符号を付しており、その重複説明は適宜に簡略化乃至省略する。
【００１２】
本発明は、投影機器等のコンテンツ再生装置において、コンテンツを再生する際の機能に関するものである。すなわち、コンテンツ再生装置が、再生対象たるコンテンツが正常に再生することができないデータ構造であることを検知した場合、ネットワークを介してコンテンツの変換が可能な変換機器を探索する。そして、当該変換機器において、再生対象たるコンテンツを、当該コンテンツ再生装置が正常に再生することが可能なデータ構造に変換し、当該コンテンツ再生装置において再生することが特徴となっている。この本発明の特徴について、以下の図面を用いて詳細に解説する。
【００１３】
まず、本発明の実施形態に係る情報処理システムの構成について説明する。図１は、本発明の実施形態に係る情報処理システムの構成を示す概略ブロック図である。図１において、情報処理システム１は、コンテンツを再生するコンテンツ再生装置たるプロジェクタ１５０と、コンテンツを変換するコンテンツ変換装置たる複数のＰＣ１００、１１０、・・・と、これらを接続するネットワーク網１０と、から構成されている。
【００１４】
ＰＣ１００は、ＰＣ１００の動作全体を制御するＣＰＵ１０２と、ＣＰＵ１０２で実行されるプログラム、及び後述するデータ構造の変換を要するコンテンツのデータ構造変換用プログラム等を格納するメモリ１０１とから構成される。また、コンテンツ等を表示するＬＣＤ（Liquid Crystal Display）等から構成される表示部１０３と、コンテンツのフォーマット変換を行う画像処理部１０４とから構成される。さらに、プロジェクタ１５０との間で、コンテンツデータ等のやり取りを行うネットワークＩ／Ｆ（Inter/Face）部１０５とから構成される。この構成は、他のＰＣ１１０、・・・についても同様である。
【００１５】
プロジェクタ１５０は、プロジェクタ１５０の動作全体を制御するＣＰＵ１５２を有している。そして、ＣＰＵ１５２で実行されるプログラム、及び後述するデータ構造の変換がされたコンテンツを含むコンテンツを投影するプログラムを格納するメモリ１５１を有している。メモリ１５１は、プロジェクタ１５０で再生可能なコンテンツのフォーマット情報、及び当該フォーマット情報に対応するデータ構造等も格納している。
【００１６】
また、プロジェクタ１５０は、コンテンツ等を投影する投影部１５３と、投影対象のコンテンツの画像を処理する画像処理部１５４とを有している。さらに、ＰＣ１００との間で、コンテンツデータ等のやり取りを行うネットワークＩ／Ｆ部１５５を有している。なお、メモリ１５１には、コンテンツデータが蓄積されたＵＳＢ等の外部から接続されるメモリも含まれる。
【００１７】
そして、プロジェクタ１５０と、ＰＣ１００、１１０、・・・とは、ネットワーク網１０によって接続されている。
【００１８】
次に、本発明の実施形態に係る情報処理システムの動作について説明する。図２は、本発明の実施形態に係る情報処理システムの動作について説明するフローチャート図である。
【００１９】
図２において、まず、ステップ（以下、「Ｓ」という。）２０１において、プロジェクタ１５０は、メモリ１５１や、図示しないＵＳＢメモリ等の外部メモリに蓄積された蓄積メディアからコンテンツデータの１つとして動画ファイルの読み込みを行う。
【００２０】
Ｓ２０２において、メモリ１５１に格納されたプログラムに基づいて、プロジェクタ１５０の画像処理部１５４は、Ｓ２０１で読み込まれた動画ファイルの再生を開始する。Ｓ２０３において、メモリ１５１に格納されたプログラムに基づいて、プロジェクタ１５０の画像処理部１５４は、Ｓ２０２で開始された動画ファイルの再生状況をチェックし、問題があるか否かを判断する。具体的には、再生画像の画像品質の良否、すなわち、音声と映像とがずれる、音声が途切れる、映像が乱れる等という現象が発生するか否かを判断する。
【００２１】
Ｓ２０３において、問題ありと判断されたとき（Ｓ２０３：問題あり）は、Ｓ２０４へ移行する。問題なしと判断されたとき（Ｓ２０３：問題なし）は、Ｓ２１０へ移行する。Ｓ２０４において、プロジェクタ１５０のネットワークＩ／Ｆ部１５５は、ネットワーク網１０に接続されたＰＣ１００、１１０、・・・の中からネットワーク上の動画変換機器たるＰＣを探索する。すなわち、ネットワーク網１０に接続されているＰＣ１００、１１０、・・・の中から、再生状況に問題があると判断された動画ファイルを、プロジェクタ１５０で再生したときに、画像品質を良とすることが可能なＰＣを検索する。
【００２２】
画像品質を良とすることが可能なＰＣとは、プロジェクタ１５０が予め保持するフォーマット情報と同一のフォーマット情報を有し、動画ファイルのデータ構造の変換が可能なＰＣのことである。なお、この動作は、Ｓ２０２における動画再生と同時にプロジェクタ１５０のバックグラウンドで実施される。
【００２３】
Ｓ２０５において、ネットワーク上に動画変換機器たるＰＣが有るか否かが判断される。Ｓ２０５において、動作変換機器があると判断されたとき（Ｓ２０５：あり）は、Ｓ２０６へ移行する。動画変換機器がないと判断されたとき（Ｓ２０５：なし）は、Ｓ２１０へ移行する。
【００２４】
Ｓ２０６において、プロジェクタ１５０は、Ｓ２０４において探索された動画変換器に対して動画を送信する。Ｓ２０７において、動画変換器は、Ｓ２０６において送信された動画を受信し、プロジェクタ１５０で再生されたときに、画像品質が良となるようにする。具体的には、動画ファイルを、プロジェクタ１５０が予め保持するフォーマット情報に対応し、プロジェクタ１５０で再生されたときとは異なるデータ構造に変換する。
【００２５】
Ｓ２０８において、動画変換器は、プロジェクタ１５０に対してＳ２０７において変換された後の動画を送信する。Ｓ２０９において、プロジェクタ１５０は、Ｓ２０８において送信された変換後の動画を、メモリ１５１に蓄積して処理を終了する。
【００２６】
Ｓ２１０において、Ｓ２０２において再生された動画が末端部であるか否かが判断される。末端部でないと判断されたとき（Ｓ２１０：ＮＯ）は、Ｓ２０２へ移行し、末端部であると判断されたとき（Ｓ２１０：ＹＥＳ）は、処理を終了する。なお、図２では、再生対象コンテンツとして動画コンテンツを例として説明しているが、再生対象たるコンテンツは動画コンテンツに限定されないことは勿論である。
【００２７】
本発明の実施形態に係る情報処理システムは、再生対象のコンテンツとして、動画コンテンツの再生を開始し、その結果、再生状況をチェックする。そして、再生画像品質に問題があった場合は、コンテンツデータのフォーマット情報と同一のフォーマット情報を有するコンテンツ変換装置を検索する。さらに、当該コンテンツ変換装置において、コンテンツデータをプロジェクタで再生されたときとは異なるデータ構造に変換し、当該変換後の動画コンテンツを再生することとしているのである。
【００２８】
次に、本発明の実施形態に係る情報処理システムを構成する動画再生処理装置たるプロジェクタの動画コンテンツの再生処理について説明する。図３は、本発明の実施形態に係る情報処理システムを構成する動画再生装置の処理の流れについて説明する状態遷移図である。
【００２９】
図３において、プロジェクタ１５０のＣＰＵ１５２は、メモリ１５１に蓄積されたコンテンツデータのファイル読込３１を行う。そして、ＣＰＵ１５２は、音声信号と映像信号との分離３２を行う。
【００３０】
分離された映像信号は、画像処理部１５４によって映像信号デコード３３が行われる。他方、分離された音声信号は、画像処理部１５４によって音声信号デコード３４が行われる。そして、デコードされた映像信号は投影３５され、デコードされた音声信号は音声信号出力３６される。
【００３１】
次に、図２のＳ２０３における再生された動画に対する再生状況のチェックの具体例について説明する。図４は、本発明の実施形態に係る情報処理システムにおける映像信号と音声信号との間の再生時刻情報について説明する図である。図５は、本発明の実施形態に係る情報処理システムにおける映像信号と音声信号との間のデータの配置が大きく偏っている場合について説明する図である。
【００３２】
動画コンテンツには、映像信号と音声信号のそれぞれに対して、再生時刻情報（ＰＴＳ：Presentation Time Stamp）が付加されている。再生時刻情報の通りに動画コンテンツが再生出力されていれば、映像信号と音声信号との間にずれは生じない。そこで、再生状況の第１のチェック方法は、図３に示した投影３５時の映像信号のＰＴＳと、音声信号出力３６時の音声信号のＰＴＳとが、予め定められた閾値を超えてずれているか否かを判断する。両者の間のずれが、当該閾値を超えていた場合、再生状況に問題あり（図２：Ｓ２０３：問題あり）と判断する。
【００３３】
再生状況の第２のチェック方法は、図３に示した音声信号、映像信号の分離３２の際に行われる。すなわち、図４に示すように、隣接する映像信号のＰＴＳと音声信号のＰＴＳとの間の差分時間が、予め定められた閾値を超えていた場合、再生状況に問題あり（図２：Ｓ２０３：問題あり）と判断する。
【００３４】
再生状況の第３のチェック方法は、映像信号と音声信号とのデータの配置が、図５に示すように大きく偏っている場合に用いられる方法である。例えば、１．５秒分の動画データのうち、データの先頭から１．５秒分の音声データに対して映像フレームがｘ秒分だけ存在している。そして、残りの（１．５−ｘ）秒分には、音声データは存在せずに映像フレームのみが存在しているといったような、所定時間内のデータの配置が、映像信号と音声信号とで大きく偏っている場合である。換言すれば、映像信号の割合と音声信号の割合との均衡が崩れている場合である。
【００３５】
なお、再生出力のチェック方法は、映像のフォーマットに応じて様々なパターンが考えられるため、上記した第１、第２、及び第３のチェック方法は、一例にすぎない。
【００３６】
また、フォーマット変換可能な機器を探し出す手段の一例としては、従来から存在するネットワークユーティリティが投影可能なプロジェクタを探索するのと同様の手段が考えられる。既知の技術であるため、ここでの詳細な説明は省略する。
【００３７】
さらに、コンテンツ再生装置の具体例としては、プロジェクタ等が挙げられ、コンテンツ変換装置の具体例としては、上述したＰＣ以外に、サーバやＩＴＢｏｘ等が挙げられる。
【００３８】
そして、コンテンツが変換された後に、再生状況が改善されたか否かを確認する手段としては、再生状況のチェックを再度行うことにより実現可能である。
【００３９】
なお、図２に示した本発明の実施形態における情報処理システムの各動作は、コンピュータ上のプログラムに実現させることもできる。プロジェクタ１５０のＣＰＵ１５２、及びＰＣ１００、１１０、・・・のＣＰＵ１０２、１１２、・・・が、メモリ１５１、１０１、１１１、・・・に格納されたプログラムをロードする。そして、プログラムの各処理ステップが順次実行されることによって行われる。
【００４０】
以上説明したように、本発明によれば、投影機器において、コンテンツが正常に再生できない構成であることを検知した場合に、ネットワークを介してコンテンツのデータ構造の変換が可能なコンテンツ変換装置を探索する。そして、当該コンテンツ変換装置において、投影機器が正常に再生可能なデータに変換される。これにより、投影機器において再生しているコンテンツの再生画像品質が良くない場合、再生状況を改善することができる情報処理システム、及び情報処理装置を得ることができる。
【００４１】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４２】
１    情報処理システム
１０    ネットワーク網
１００、１１０    情報処理装置（ＰＣ）
１０１、１１１、１５１    メモリ
１０２、１１２、１５２    ＣＰＵ
１０３、１１３    表示部
１０４、１１４、１５４    画像処理部
１０５、１１５、１５５    ネットワークＩ／Ｆ部
１５０    プロジェクタ
１５３    投影部
【先行技術文献】
【特許文献】
【００４３】
【特許文献１】特開２０１０−０４９５２５号公報
【図１】
2014165796.tif 000003
【図２】
2014165796.tif 000004
【図３】
2014165796.tif 000005
【図４】
2014165796.tif 000006
【図５】
2014165796.tif 000007